(57)【要約】      （修正有）【課題】混合効率が良好で均一なカラー塗装を行うことができる塗装システムを提供する。【解決手段】ベース塗料をスプレーガンまで供給する第１の供給ラインと、ベース塗料とは異なる種類のカラー塗料を供給する第２の供給ライン３と、スプレーガン１の上流側に、ベース塗料とカラー塗料とを混合する混合機４が設けられ、この混合機により、ベース塗料とカラー塗料とを攪拌混合してスプレーガン１に供給する。そのため、混合効率を向上させて、均一な色合いの塗料を作成することができる。しかも、色替えのときは、第２の供給ライン３のカラー塗料のみを変更すればよいので、色替え作業も容易に行うことができる。【選択図】図１
0003145041.tif 000002
【実用新案登録請求の範囲】
【請求項１】
ベース塗料をスプレーガンまで供給する第１の供給ラインと、前記ベース塗料とは異なる種類のカラー塗料を供給する第２の供給ラインと、前記スプレーガンの上流側に、前記ベース塗料と前記カラー塗料とを混合する混合機が設けられ、前記混合機により、ベース塗料とカラー塗料とが混合されて前記スプレーガンに供給されることを特徴とする塗装システム。
【請求項２】
前記混合機は、筒状のケーシングの内側に複数の規制板が軸方向に配列されたスタティックミキサーであり、内部の塗料流路が軸方向でジグザグ状に蛇行するよう、隣り合う規制板同士がケーシングの内周面から軸中心方向に交互に突出され、前記ケーシングの軸方向一側に前記ベース塗料の供給配管が接続され、前記ベース塗料供給配管の近くに前記カラー塗料の供給配管が接続されたことを特徴とする請求項１記載の塗装システム。
【請求項３】
前記複数の規制板同士の間隔が相対的に短い第1の間隔と、それよりも長い第２の間隔とが設定され、第１の間隔と第２の間隔とが軸方向で交互に位置するように設定されていることを特徴とする請求項２に記載の塗装システム。
【請求項４】
前記混合機は、筒状のケーシング内に複数のミキシングギヤが互いに回転可能に噛み合うように設けられたダイナミックミキサーであることを特徴とする請求項１に記載の塗装システム。
【考案の詳細な説明】
【技術分野】
【０００１】
本考案は、船舶の外装材や土木建築の基礎材として使用されるコイル状鋼板などの塗装対象物に対して塗装を施こすための塗装システムに関するものである。
【背景技術】
【０００２】
従来、この種の塗装システムでは、例えば、ベース塗料を塗料タンク内に注入し、硬化剤と混合して、ポンプを介してスプレーガンに送り、スプレーガンにより吹き付け塗装するのが一般的である。
【０００３】
また、色彩を施す場合、ベース塗料とカラー塗料とを塗料タンクに注入・混合し、そこからポンプを介してスプレーガンで吹き付け塗装するようにしているため、カラー塗料の色替は、前記塗料タンクに入っている塗料を全て抜き、塗料タンクを含む塗装機全体を洗浄した後に色替えしていた。
【０００４】
そのため、色彩を施す塗装において色替えをするのに、色替えの度に残存する塗料を除去しなければならず、残存塗料除去の手間、塗料ロス、除去した塗料の廃棄の問題があり、また、タンク、ホース、エアレスポンプ等、塗装ライン全てを洗浄する必要があり、ライン稼働時間のロス、或いは洗浄のために大量の有機溶剤を必要とし、有機溶剤を含む洗浄液の廃棄の問題及びコストが嵩むという問題があった。
【０００５】
実用新案登録文献１では、上記問題を解決するために、ベース塗料の供給ラインと、カラー塗料の供給ラインとをスプレーガンに接続し、そのガン先においてベース塗料にカラー塗料を添加、混合して吹付塗装を行うようにした。
【０００６】
これにより、色替えの際には、カラー塗料の入った容器及び該容器とスプレーガンとを接続するパイプのみを、入れ替え、洗浄等すれば足り、色替えの労力を軽減することができるようにしている。
【特許文献１】特開２００１−３４０７８８号公報
【考案の開示】
【考案が解決しようとする課題】
【０００７】
ところで、特許文献１のように、ベース塗料とカラー塗料との混合を、スプレーガンの吐出口よりも先の位置、つまり、スプレーガンの吐出口外側で行われる、いわゆるガン先混合に代わる、新たな塗装システムの出現も望まれているところである。
【０００８】
本考案は、混合効率が良好で均一なカラー塗装を行うことができる、新たな塗装システムの提供を目的としている。
【課題を解決するための手段】
【０００９】
上記目的を達成するため、本考案の塗装システムは、ベース塗料をスプレーガンまで供給する第１の供給ラインと、前記ベース塗料とは異なる種類のカラー塗料を供給する第２の供給ラインと、前記スプレーガンの上流側に、前記ベース塗料と前記カラー塗料とを混合する混合機が設けられ、前記混合機により、ベース塗料とカラー塗料とが混合されて前記スプレーガンに供給されることを特徴としている。
【００１０】
上記構成によると、スプレーガンの上流側に混合機が設けられ、この混合機によりベース塗料とカラー塗料とが混合されてスプレーガンに供給されるので、混合効率を向上させて、均一な色合いの塗料を作成することができる。しかも、色替えのときは、第２の供給ラインのカラー塗料のみを変更すればよいので、色替えも容易に行うことができる。
【００１１】
混合機は、筒状のケーシングの内側に複数の規制板が軸方向に配列されたスタティックミキサーであり、内部の塗料流路が軸方向でジグザグ状に蛇行するよう、隣り合う規制板同士がケーシングの内周面から軸中心方向に交互に突出され、前記ケーシングの軸方向一側に前記ベース塗料の供給配管が接続され、前記ベース塗料供給配管の近くに前記カラー塗料の供給配管が接続される。
【００１２】
上記構成によると、複数の規制板が軸方向に配列されて、隣り合う規制板同士がケーシングの内周面から軸中心方向に交互に突出され、内部の塗料流路が軸方向でジグザグ状に蛇行するようにしているので、ベース塗料とカラー塗料とが攪拌混合される。
【００１３】
この場合、複数の規制板同士の間隔が相対的に長い第1の間隔と、それよりも短い第２の間隔とが設定され、第１の間隔と第２の間隔とが軸方向で交互に配列されている。
【００１４】
上記構成によると、間隔の異なる規制板間同士で、圧力変化を生じさせるので、流体の流れが意図的に変化し、混合効率を上げることができる。しかも、流体経路をジグザグ状に変化させることによって、さらに、混合効率を上げることができる。
【００１５】
また、別の混合機として、筒状のケーシング内に複数のミキシングギヤが互いに噛み合い、かつ回転可能に設けられたダイナミックミキサーを例示することができる。
【００１６】
上記構成によると、混合機としてダイナミックミキサーを採用した場合、高圧で、かつ流速が速いので、混合しやすくなる。しかも、ギヤ方式のため、ギヤを変更することにより注入量を変更することができる。
【考案の効果】
【００１７】
以上のとおり、本考案によると、スプレーガンの上流側に設けられた混合機により、ベース塗料とカラー塗料とが混合されてスプレーガンに供給されるので、混合効率を向上させて、均一な色合いの塗料を作成することができる。しかも、色替えのときは、カラー塗料が供給される第２の供給ラインのみを変更すればよいので、色替えも容易に行うことができる。
【考案を実施するための最良の形態】
【００１８】
＜第１の実施形態＞
以下、本考案の実施形態を図面に基づいて説明する。図１は本考案の一実施形態を示す塗装システムにおける吹付ステーションの斜視図である。
【００１９】
本実施形態の塗装システムは、図１に示すように、ベース塗料をスプレーガン１まで供給する第１の供給ライン２と、前記ベース塗料とは異なる種類のカラー塗料を供給する第２の供給ライン３と、前記スプレーガンの上流側に設けられ、前記ベース塗料と前記カラー塗料とを混合する混合機４とを備え、前記混合機４により、ベース塗料とカラー塗料とが混合されて前記スプレーガン１に供給される。
【００２０】
第1の供給ラインは、ベース塗料５を貯留するタンク７と、該タンクからスプレーガン１に至る配管路８と、該配管路８に介在されたエアレスポンプ９とを備えている（図９参照）。
【００２１】
タンク７には、ベース塗料が貯留される。ベース塗料は、顔料（例えば、グレー系顔料）を含む主剤、硬化剤および溶剤から構成される。
【００２２】
このベース塗料は、中継タンク７に一時的に貯留される。なお、主剤、硬化剤および溶剤の供給は、主剤の入ったコンテナ、硬化剤が入ったコンテナ、および溶剤の入ったコンテナ（共に図示せず）から配管および圧送ポンプを介してタンク７側に圧送され、タンク７内で攪拌機（図示略）により混合攪拌されて所望のベース塗料が得られる。あるいは、タンク７に至る供給路で混合機で攪拌混合されてタンク７に供給される。
【００２３】
この供給ラインにおいて、主剤、硬化剤および溶剤の配合割合は、供給ラインの途中に設けられた流量センサ（図示略）により流量が検出され、その信号に基づいて流量調整弁が作動して所望量の主剤、硬化剤および溶剤が供給される。
【００２４】
タンク７とスプレーガン１とは配管８により接続される。配管８の途中にはエアレスポンプ９が介在される。
【００２５】
スプレーガン１は、図1に示すように、吹付けステーション１２に配置される。タンク７の設置場所は、塗装対象物から搬送ラインから離れた場所に設定される。そのため、タンク７およびエアレスポンプ９の設置位置は、吹付けステーションから通常３０ｍ〜５０ｍ離れた場所に設定される。エアレスポンプ９は、通常１０ＭＰａ〜２０ＭＰａでベース塗料を圧送する。
【００２６】
スプレーガン１は、公知構造のエアレス式のスプレーガンであって、吹付けステーションにおいて、塗装対象物の搬送方向に直交する方向で往復動可能に設けられている。
【００２７】
この吹付ステーション１２には、第２の供給ライン３と混合機４とを備えている。第２の供給ライン３は、カラー塗料が収容されたタンク１３を備えている。カラー塗料は、例えば、顔料（ブラウン）に溶剤が混入されたものである。タンク１３から混合機４に至る供給配管１４には、圧送ポンプ１５が設けられる。その他、図９に示すように、逆止め弁１６、可変型の流量制御弁１７、圧力調整弁１８が介在され、所望の流量のカラー塗料が所定圧力で送出されるようになっている。
【００２８】
なお、図１に示す自動塗装機２０は、塗装対象物２１の搬送方向に多数配列された搬送用のローラコンベヤ２２と、該ローラコンベヤ２２を跨ぐように配置された門型の支柱２３と、該門型支柱２３のクロスレールに沿って塗装対象物２１の搬送方向と直交する方向で往復動自在とされたスプレーガン１とを備え、塗装対象物である鋼板２１がローラコンベヤ２２上を搬送されて門型支柱２３を通過する際に、スプレーガン１から噴出する塗料により塗装される。この門型支柱２３は、吹付けステーション１２を構成する。
【００２９】
図２はスタティック式混合機の分解斜視図、図３はその断面図である。図に示すように、混合機４は、筒状のケーシング２５の内側に複数の規制板２６が軸方向に配列されたスタティックミキサーである。隣り合う規制板２６同士は、ケーシング２０の内部の塗料流路が軸方向でジグザグ状に蛇行するよう、ケーシング２５の内周面から軸２７の中心方向に交互に突出されている。
【００３０】
ケーシング２５の軸方向一側の蓋２８には、ベース塗料の接続口２９が形成され、該ベース塗料側の接続口２９の近くにカラー塗料の供給接続口３０が形成され、夫々配管が接続されている。なお、図中、符号３１は、ケーシング２５の軸方向他側の蓋を示す。この蓋３１には、軸２７を挟んでベース塗料及びカラー塗料の供給口と対抗する位置に吐出口３２が形成されている。
【００３１】
そして、混合機４では、複数の規制板２６同士の間隔が相対的に長い第1の間隔Ｌ１と、それよりも短い第２の間隔Ｌ２とが設定され、第１の間隔Ｌ１と第２の間隔Ｌ２とが軸２７の軸方向で交互に配列されている。
【００３２】
図３に混合機の詳細を示す。同図（ａ）は混合機の軸方向に沿って切断したときの縦断面図であり、以後の図面における切断位置を図示している。断面１は、軸２７に沿って切断した場合であり、同図（ｂ）にその断面図を示す。
【００３３】
断面２は軸２７をこれに直交する方向で切断した場合であり、同図（ｃ）にその切断断面図を示す。
【００３４】
断面３は、片側の第１の規制板２６ａに沿って切断した場合であり、同図（ｄ）にその切断断面図を示す。
【００３５】
断面４は、他側の第２の規制板２６ｂに沿って切断した場合であり、同図（ｅ）はその切断断面図を示す。
【００３６】
ケーシング２５内の通過流路の断面積は、塗料供給側から順次通過流路断面積Ｃ⇒Ｄ⇒Ｃ⇒Ｅ⇒Ｃ⇒Ｄ⇒Ｃ⇒Ｅ⇒Ｃ⇒Ｄ⇒Ｃ⇒Ｅ⇒Ｃとなる。流路断面積Ｃ＝ケーシング２５の内周断面積―軸部の断面積、流路断面積Ｄ＝ケーシング２５の内周断面積―[第１規制板２６ａの断面積（軸部断面を含む）]、流路断面積Ｅ＝ケーシング２５の内周断面積―[第２規制板２６ｂの断面積（軸部断面を含む）]である。第１規制板２６ａの断面積と第２規制板２６ｂの断面積は等しいから、断面積Ｄ＝Ｅとなる。
【００３７】
ただ、第１の規制板２６ａと隣り合う第２の規制板２６ｂとの間隔は、相対的に長い第1の間隔Ｌ１と、それよりも短い第２の間隔Ｌ２とが設定され、第１の間隔Ｌ１と第２の間隔Ｌ２とが軸２７の軸方向で交互に配列されているので、それぞれの間隔Ｌ１、Ｌ２で特定される通過流路Ａと通過流路Ｂとでは、その容積が異なることになる。図３では、通過流路Ａは、通過流路Ｂよりも流路容積が大きく設定されることになる。そのため、通過流路Ａと通過流路Ｂとでは、圧力変動が生じ、かつ、軸方向に沿ったジグザグ状の流路となるので、ここを流れる塗料は十分攪拌混合されることになる。
【００３８】
図４は図３における各通過流路Ａ〜Ｅの断面積を表わす。同図（ａ）は通過流路Ａの縦断面積、（ｂ）は通過流路Ｂの縦断面積、（ｃ）は通過流路Ｃの横断面積、（ｄ）は通過流路Ｄの横断面積、（ｅ）は通過流路Ｅの横断面積をそれぞれ示す。
【００３９】
上記構成においては、第１の供給ライン２からベース塗料が混合機４に送られ、また、第２の供給ライン３からカラー塗料が混合機４の一側に送られる。そして、この混合機４で、ベース塗料とカラー塗料とが混合されてスプレーガン１に供給される。
【００４０】
混合機４は、筒状のケーシング２５の内側に複数の規制板２６が軸方向に配列されたスタティックミキサーであり、内部の塗料流路が軸方向でジグザグ状に蛇行するよう、隣り合う規制板２６同士がケーシング２５の内周面から軸中心方向に交互に突出される。また、第１の規制板２６ａと隣り合う第２の規制板２６ｂとの間隔は、相対的に長い第1の間隔Ｌ１と、それよりも短い第２の間隔Ｌ２とが設定され、第１の間隔Ｌ１と第２の間隔Ｌ２とが軸方向で交互に配列されているので、流路断面積および流路容積の相違により、圧力変動が生じる。
【００４１】
したがって、混合機４のケーシング２５内を通る塗料は、軸方向でジグザグ状に蛇行しながら、かつ流路断面積の相違並びに流路容積の相違に起因する圧力変動により、ベース塗料とカラー塗料とが確実かつ迅速に攪拌混合されることになる。
【００４２】
そのため、混合機４の下流側に設けられたスプレーガン１には、混合効率の良い塗料が供給されることになり、混合効率を向上させて、均一な色合いの塗料を作成することができる。
【００４３】
しかも、色替えのときは、第２の供給ライン３のカラー塗料タンク１３を交換する。この際、ベース塗料を供給する第１の供給ライン２の洗浄は基本的に不要である。
【００４４】
洗浄は、第２の供給ライン３から混合機４およびスプレーガン１まで行うか、あるいは、供給するカラー塗料が少量であるため洗浄を行わずに、色替えしても、色替え後の吹き捨てを行えば、色替えもスムーズに行うことができる。
【００４５】
＜第２の実施形態＞
図５は、本考案の第２の実施形態であるスタティック式混合機を用い塗装ラインを示す構成図である。図６はその混合機の概略断面図、図７はその混合機の一部を開放した状態の斜視図、図８は、混合機の下流側にスプレーガンを接続した状態を示す斜視図である。
【００４６】
本実施形態では、２色のカラー塗料供給ライン３，３Ａを設けた点と、混合機４として別のスタティックミキサーを用いた点を特徴としている。
【００４７】
すなわち、本実施形態では、ベース塗料とは異なる種類の２色のカラー塗料を供給するために、第２の供給ライン３として、２本の供給ライン３、３Ａを設けている。
【００４８】
各供給ライン３，３Ａには、図５に示すように、供給元側から流量計３７が設けられ、その下流側に圧力調整弁１８、流量制御弁１７および逆止弁１６が配設されている。そして、流量計３７からの流量信号に基づいて流量制御弁１７の絞り量が制御されるようになっている。
【００４９】
供給ライン３では、例えば、Ａ顔料がブラウンの塗料が供給される。また、供給ライン３Ａでは、Ｂ顔料がグリーンの塗料が供給される。また、第１の供給ライン２から供給されるベース塗料としてグレー系の塗料が例示できる。
【００５０】
第１の供給ライン２および第２の供給ライン３，３Ａは、混合機４に接続される。混合機４は、筒状のケーシング２５の内側に複数の規制板２６が軸方向に配列されたスタティックミキサーである。隣り合う規制板２６ａ，２６ｂ同士は、ケーシング２０の内部の塗料流路が軸方向でジグザグ状に蛇行するよう、ケーシング２５の内周面から流路中心方向に交互に突出されている。
【００５１】
第１の実施形態における混合機との相違は、軸２７に相当する部材がない点と、規制板２６ａ，２６ｂ同士の間隔は、軸方向で一定である点と、規制板２６ａ、２６ｂの形状が軸中心方向が流路の下流側に向いて傾斜しており、その先端２６ｃがさらに流路下流側に折れている点である。
【００５２】
また、混合機４において、ケーシング２５の軸方向一側蓋部にベース塗料の接続口２９が形成され、該ベース塗料側の接続口２９の近くで、ケーシング２５の周面に２つカラー塗料の供給接続口３０，３０ａが形成され、夫々配管が接続されている。また、混合塗料の吐出口３２は、ケーシング２５の軸方向他側に形成されている。
【００５３】
この混合機４の下流側に配管３３を介して接続されるスプレーガン１は、第１の実施形態と同様であるので、その説明を省略する。なお、図８において、スプレーガン１には、流路を開閉する流路開閉弁駆動用のエア入口３４が設けられている。その他の構成は第１の実施形態と同様であるので、その説明を省略する。
【００５４】
上記構成においては、第１の供給ライン２からベース塗料が混合機４に送られ、また、第２の供給ラインの２本の供給ライン３，３Ａから２種類のカラー塗料のうち、１種類または２種類のカラー塗料が混合機４の一側に送られる。そして、この混合機４で、ベース塗料とカラー塗料とが混合されてスプレーガン１に供給される。
【００５５】
混合機４は、筒状のケーシング２５の内側に複数の規制板２６ａ、２６ｂが軸方向に配列されたスタティックミキサーであり、内部の塗料流路が軸方向でジグザグ状に蛇行しながら圧送されるので、ベース塗料とカラー塗料とが迅速かつ確実に攪拌混合されることになる。
【００５６】
そのため、混合機４の下流側に設けられたスプレーガン１には、混合効率の良い塗料が供給されることになり、混合効率を向上させて、均一な色合いの塗料を作成することができる。
【００５７】
しかも、色替えのときは、第２の供給ライン３，３Ａのうち、いままで使用してきた供給ライン３または３Ａの供給ポンプ１５を停止してカラー塗料の供給を停止し、他方のカラー塗料の供給ライン３Ａまたは３の供給ポンプを稼働すれば、その供給ラインからカラー塗料が混合機４に送られ、ベース塗料と混合されてスプレーガン１に供給される。供給ラインの切り替え当初は、色替え前のカラー塗料がスプレーガン１に残っているが、短時間の吹き捨てにより、色替えをスムーズに行うことができる。
【００５８】
＜第３の実施形態＞
図９は本考案の第３の実施形態を示すダイナミック式混合機を用いた塗装システムの概念図、図１０は図９の混合機の断面図、図１１は同じく混合機の斜視図である。
【００５９】
本実施形態では、第１実施形態および第２の実施形態と異なり、混合機４が、筒状のケーシング４０内に複数（本実施形態では２個）のミキシングギヤ４１，４２が互いに回転可能に噛み合うように設けられたダイナミックミキサーである。
【００６０】
ケーシング４０は、楕円型の円筒形状とされ、内部にミキシングギヤ４１，４２が内装されている。
【００６１】
ギヤ４１，４２は、そのギヤ軸が平行に配列され、ギヤの外周面に沿って流入した液体（塗料）をギヤの噛み合い部で圧縮して攪拌混合し、ギヤの回転方向で下流側に位置する吐出口４６から噴出する。ギヤの駆動は、外部サーボモータ４８により行われる。ギヤ４１，４２は、可変速とされ、供給ラインの流量により可変速制御することができる。
【００６２】
ケーシング４０の周面には、ギヤ軸に直交する方向で、ベース塗料の供給口４３、２種類のカラー塗料の供給口４４，４５、および混合塗料の吐出口４６が形成される。ベース塗料の供給口４３と吐出口４６とはケーシング４０の中心を挟んで、対向位置に形成される。カラー塗料の供給口４４，４５は、ケーシング４０の中心を挟んで、対向位置で、かつベース塗料供給口４３および吐出口４６と９０度の位相差をもって形成される。
【００６３】
上記構成において、ギヤ４１，４２を外部サーボモータ４８により回転駆動すると、ベース塗料の供給口４３から流入したベース塗料と、カラー塗料の供給口４４，４５から流入したカラー塗料とが混合され、ギヤ４１，４２の噛み合い地点で圧縮混合されるので、例えば、１０ＭＰａ〜２０ＭＰａ程度の高圧で、かつ流速の高い状態で混合することができ、混合効率の良好な混合塗料を得ることができる。
【００６４】
また、ギヤ４１，４２の回転によりケーシング内は負圧になるため、供給口４３，４４，４５から塗料が流入しやすくなり、かつ攪拌混合されやすくなる。
【００６５】
また、ギヤ４１，４２の回転駆動速度を可変速にしているので、ケーシング内の負圧力を調整することができ、塗料の注入量を変更することができる。
【００６６】
このように、スプレーガン１の上流側に設けられた混合機４により、ベース塗料とカラー塗料とが混合されてスプレーガン１に供給されるので、混合効率を向上させて、均一な色合いの塗料を速やかに作成することができる。しかも、色替えのときは、カラー塗料が供給される第２の供給ライン３のみを変更すればよいので、色替えも容易に行うことができる。
【００６７】
なお、本考案は、上記実施形態に限定されるものではなく、本考案の範囲内で多くの修正・変更を加えることができるのは勿論である。
【図面の簡単な説明】
【００６８】
【図１】本考案の一実施形態を示す塗装システムにおける吹付ステーションの斜視図
【図２】スタティック式混合機の分解斜視図
【図３】図２の混合機の断面図で、（ａ）は混合機の軸方向に沿って切断したときの縦断面図、（ｂ）は同図（ａ）に示す断面１の切断断面図、（ｃ）は同図（ａ）に示す断面２の切断断面図、（ｄ）は同図（ａ）に示す断面３の切断断面図、（ｅ）は同図（ａ）に示す断面４の切断断面図
【図４】図３における各通過流路Ａ〜Ｅの断面積を表わし、（ａ）は通過流路Ａの断面積、（ｂ）は通過流路Ｂの断面積、（ｃ）は通過流路Ｃの断面積、（ｄ）は通過流路Ｄの断面積、（ｅ）は通過流路Ｅの断面積をそれぞれ示す図
【図５】本考案の別のスタティック式混合機の塗装ラインを示す構成図
【図６】図５の混合機の概略断面図
【図７】図５の混合機の一部を開放した状態の斜視図
【図８】図５の混合機の下流側にスプレーガンを接続した状態を示す斜視図
【図９】本考案の第３の実施形態を示すダイナミック式混合機を用いた塗装システムの概念図
【図１０】（ａ）は図９のダイナミック式混合機の正面断面図、（ｂ）は同じく側面図
【図１１】図９のダイナミック式混合機の斜視図
【符号の説明】
【００６９】
１  スプレーガン
２  第１の供給ライン
３    第２の供給ライン
４    混合機
５    ベース塗料
７    タンク
８    配管路
９    エアレスポンプ
１２    吹付けステーション
１３    タンク
１５    圧送ポンプ
１６    逆止め弁
１７    流量制御弁
１８    圧力調整弁
２０    自動塗装機
２１    塗装対象物
２２    ローラコンベヤ
２３    門型支柱
２５    ケーシング
２６    規制板
２７    軸
２８    蓋
２９    接続口
３０    接続口
３１    蓋
３２    吐出口
３３      配管
３４  エア入口
３７  流量計
４０    ケーシング
４１，４２    ミキシングギヤ
４３    ベース塗料供給口
４４、４５    カラー塗料供給口
４６    吐出口
【図１】
0003145041.tif 000003
【図２】
0003145041.tif 000004
【図３】
0003145041.tif 000005
【図４】
0003145041.tif 000006
【図５】
0003145041.tif 000007
【図６】
0003145041.tif 000008
【図７】
0003145041.tif 000009
【図８】
0003145041.tif 000010
【図９】
0003145041.tif 000011
【図１０】
0003145041.tif 000012
【図１１】
0003145041.tif 000013